(57)【要約】      （修正有）【課題】  面外ゴーストの削減を行うこと。【解決手段】  本発明の面外ゴーストの削減方法は、光源側光学系220のミラー228により表示素子230の斜め方向から表示素子230に光を照射するプロジェクタ100において、導光装置224から射出される断面が矩形の光線束の一辺と、この一辺が照射される場所に位置する表示素子230の一枠とが略平行となるように導光装置224を任意の角度回転させ、導光装置224から射出された光線束の一辺と、この一辺と対応する表示素子230の画像生成部とを近接させるように、導光装置224から射出された光線束が表示素子230に照射する位置をミラー228で調整するものである。【選択図】図２
2007256321.tif 000002
【特許請求の範囲】
【請求項１】
光源装置と、
光源側光学系と、
投影画像を生成する表示素子と、
投影画像を投影する投影側光学系と、
プロジェクタ制御手段とを備え、
前記光源側光学系は、カラーホイールと、遮光板と導光部材を有する導光装置と、光源側レンズ群と、ミラーとを備え、
前記光源側光学系のミラーにより前記表示素子の斜め方向から表示素子に光を照射するプロジェクタにおいて、
前記導光装置から射出される断面が矩形の光線束の一辺と、この一辺が照射される場所に位置する前記表示素子の一枠とが略平行となるように前記導光装置を回転させることを特徴とする面外ゴーストの削減方法。
【請求項２】
前記導光装置から射出された断面が矩形の光線束の内、前記表示素子の一枠と平行となる一辺と、この一辺に対応する前記表示素子の画像生成部の一辺とを近接させて表示素子の枠の一部に光を照射しないように、前記ミラーの調整によって前記導光装置から射出された光線束による前記表示素子を照射する位置を調整することを特徴とする請求項１に記載の面外ゴーストの削減方法。
【請求項３】
前記導光装置の回転は光軸を中心に回転させることを特徴とする請求項１又は請求項２に記載の面外ゴーストの削減方法。
【請求項４】
前記導光装置は導光ユニットに収納されており、当該導光ユニットを回転させて前記導光装置を回転させることを特徴とする請求項１乃至請求項３のいずれかに記載の面外ゴーストの削減方法。
【請求項５】
略直方体形状で底面パネルを有し、
内部に光源装置と、
光源側光学系と、
投影画像を生成する表示素子と、
投影画像を投影する投影側光学系と、
プロジェクタ制御手段とを備え、
前記光源側光学系は、カラーホイールと、遮光板と導光部材を有する導光装置と、光源側レンズ群と、ミラーとを備え、
前記導光部材は断面を長方形状とした直方体形状であり、
前記導光装置から射出される断面が矩形の光線束の一辺と、この一辺が照射される場所に位置する前記表示素子の一枠とが略平行となるように、前記導光部材の断面底辺が前記プロジェクタの底面パネルと非平行とされていることを特徴とするプロジェクタ。
【請求項６】
前記導光装置から射出された断面が矩形の光線束の内、前記表示素子の一枠と平行となる一辺を、この一辺と対応する前記表示素子の画像生成部の一辺に近接させ、前記表示素子の一枠に光が照射しないように前記ミラーが配置されていることを特徴とする請求項５に記載のプロジェクタ。
【請求項７】
前記導光装置は、導光部材の断面底辺が前記プロジェクタの底面パネルとの平行位置から光軸又は光軸と平行な軸を中心に回転させられて非平行とされていることを特徴とする請求項５又は請求項６に記載のプロジェクタ。
【請求項８】
前記導光装置は導光ユニットに収納されていることを特徴とする請求項５乃至請求項７のいずれかに記載のプロジェクタ。
【請求項９】
前記導光部材は、ライトトンネル又は導光ロッドであることを特徴とする請求項５乃至請求項８のいずれかに記載のプロジェクタ。
【発明の詳細な説明】
【技術分野】
【０００１】
本発明は、プロジェクタ及びプロジェクタの面外ゴーストの削減方法に関する。
【背景技術】
【０００２】
今日、パーソナルコンピュータの表示画面画像やビデオ画像等をスクリーンに投影する画像投影装置としてデータプロジェクタが多用されている。
このプロジェクタは、高輝度の光源が用いられ、メタルハイランドランプや超高圧水銀ランプなどの小型高輝度の放電ランプにリフレクタとしての凹面反射鏡を取り付けたランプユニットをプロジェクタの光源装置としてプロジェクタに組み込むことが多い。
【０００３】
そして、このランプユニットでは、回転放物線状のリフレクタ又は回転楕円面状のリフレクタを用いたものが多く用いられ、リフレクタの楕円焦点近傍に高輝度の放電ランプを設置し、前方及び後方に向けて射出された光をこの回転放物線又は回転楕円面のリフレクタで反射させ、ライトトンネルや導光ロッドに集光するものとしている。
【０００４】
そして、超高圧水銀ランプなどの高輝度の放電ランプを内蔵した光源装置からの光を、赤色フィルタ、緑色フィルタ、青色フィルタからなり、毎秒１２０回の回転速度で回転するカラーホイールを用いて赤色、緑色、青色の光とし、この赤色、緑色、青色の光を導光ロッドやライトトンネル等の導光装置を通した後、レンズにより一般的にはＤＭＤと呼ばれるマイクロミラー表示素子に集光させ、この表示素子によりプロジェクタ装置の投影口に向けて反射させるオン状態の光の量によってスクリーン上にカラー画像を表示させるものである。
【０００５】
このような、プロジェクタでは表示素子に照射する光ができる限り表示素子の形状と同一であることが好ましい。しかし、実際には表示素子は非常に小さいものであるため、表示素子の形状よりやや大きな形状の光が照射されることになる。又、ミラーで斜めの角度から表示素子に光を照射するため、表示素子に照射される光線束の断面形状は歪んだ方形状となっていた。
【０００６】
そして、このようなことが原因となって、表示素子に照射された光線束は、表示素子を保護する枠等にも照射される不要光が発生し、枠等に反射した光が投影画像として投影されてしまうため、暗状態時には面外ゴーストといわれる通常の長方形の投影画像枠の外に更に別の投影画像枠が発生するといった問題が発生していた。
【０００７】
このような問題点を解決するために、例えば特開２００５―５５８５５号公報（特許文献１）では、マイクロミラー表示素子の入射側及び射出側にプリズムを設置し、通常時は当該プリズムを介して投影レンズに光を射出するが、暗状態の時にはマイクロミラー表示素子の反射角度を変化させることでプリズムから投影レンズに光が透過しないようにすることで面外ゴーストの除去を行うことが提案されている。
【特許文献１】特開２００５―５５８５５号公報
【発明の開示】
【発明が解決しようとする課題】
【０００８】
しかしながら、上述したような従来技術では、暗状態の時の面外ゴーストを除去するためにプリズムを光路中に複数個設置する必要があり、組立作業の複雑化やコストの増加といった問題点があった。
【０００９】
本発明は、上述したような従来技術の問題点に鑑みてなされたものであり、面外ゴーストを容易に削減できる面外ゴーストの削減方法と、当該面外ゴーストの削減方法により面外ゴーストが削減され、良質な画像を投影可能なプロジェクタを提供することを目的としている。
【課題を解決するための手段】
【００１０】
本発明の面外ゴーストの削減方法は、光源装置(210)と、光源側光学系(220)と、投影画像を生成する表示素子(230)と、投影画像を投影する投影側光学系(250)と、プロジェクタ制御手段(181)とを備え、光源側光学系(220)は、カラーホイール(221)と、遮光板(242)と導光部材を有する導光装置(224)と、光源側レンズ群(226)と、ミラー(228)とを備え、光源側光学系(220)のミラー(228)により表示素子(230)の斜め方向から表示素子(230)に光を照射するプロジェクタ(100)において、導光装置(224)から射出される断面が矩形の光線束の一辺と、この一辺が照射される場所に位置する表示素子(230)の一枠とが略平行となるように導光装置(224)を任意の角度回転させることを特徴とするものである。
【００１１】
又、導光装置(224)から射出された断面が矩形の光線束の内、表示素子(230)の一枠と平行となる一辺とこの一辺に対応する表示素子(230)の画像生成部(233)の一辺とを近接させてミラー(228)で反射される光が表示素子(230)の枠の一部に照射されないように、前記ミラー(228)の調整により導光装置(224)から射出された光線束が表示素子(230)を照射する位置を調整するものである。そして、導光装置(224)を光軸を中心に回転させる場合と、導光装置(224)が導光ユニット(201)に収納されており、当該導光ユニット(201)を回転させる場合もがある。
【００１２】
又、本発明のプロジェクタ(100)は、略直方体形状で底面パネル(160)を有し、内部に光源装置(210)と、光源側光学系(220)と、投影画像を生成する表示素子(230)と、投影画像を投影する投影側光学系(250)と、プロジェクタ制御手段(181)とを備え、光源側光学系(220)は、カラーホイール(221)と、導光装置(224)と、光源側レンズ群(226)と、ミラー(228)とを備え、導光部材は断面を長方形状とした直方体形状であり、導光装置(224)から射出される断面が矩形の光線束の一辺と、この一辺が照射される場所に位置する表示素子(230)の一枠とが略平行となるように、導光部材の断面底辺がプロジェクタ(100)の底面パネル(160)と非平行とされているものである。
【００１３】
又、導光装置(224)から射出された断面が矩形の光線束の内、表示素子(230)の一枠と平行となる一辺を、この一辺と対応する表示素子(230)の画像生成部(233)に近接させ、表示素子(230)の一枠に光が照射しないようにミラー(228)が配置されたことを特徴とするものである。
【００１４】
そして、導光装置(224)は、導光部材の断面底辺がプロジェクタ(100)の底面パネル(160)との平行位置から光軸(243)又は光軸(243)と平行な軸を中心に回転させられて非平行とされているものである。又、導光装置(224)は導光ユニット(201)に収納されていることもある。更に、導光部材はライトトンネル(241)を用いる場合と導光ロッドを用いる場合がある。
【発明の効果】
【００１５】
本発明によれば、面外ゴーストを容易に削減できる面外ゴーストの削減方法と、当該面外ゴーストの削減方法により面外ゴーストが削減され、良質な画像を投影可能なプロジェクタを提供することができる。
【発明を実施するための最良の形態】
【００１６】
本発明を実施するための最良の形態のプロジェクタ100は、略直方体形状で底面パネル160を有し、内部に光源装置210と、光源側光学系220と、投影画像を生成する表示素子230と、投影画像を投影する投影側光学系250と、プロジェクタ制御手段181とを備え、光源側光学系220は、カラーホイール221と、導光装置224と、光源側レンズ群226と、ミラー228とを備えており、光源側光学系220のミラー228により表示素子230の斜め方向から表示素子230に光を照射するものである。
【００１７】
又、導光装置224は、導光ユニット201内に収納されており、一端を入射口とし、他端を射出口とする導光部材と、導光部材の入射口近傍に配置され光源装置210からの射出光の内で不要となる光を遮光し、又、射出口近傍に配置され導光部材の射出口で拡散する光を遮光する２つの遮光板242を有している。そして、当該遮光板242は導光部材の端部形状に近似した大きさ及び形状の開口部245を有している。
【００１８】
又、導光部材224は断面を長方形状とした直方体形状であり、導光装置224から射出される断面が矩形の光線束の一辺と、この一辺が照射される場所に位置する表示素子230の一枠とが略平行となるように、導光部材の断面底辺がプロジェクタ100の底面パネル160と非平行とされているものである。
【００１９】
そして、導光装置224から射出された光線束の一辺と、この一辺と対応する表示素子230の画像生成部とを近接させるように、導光装置224から射出された光線束が表示素子230に照射する位置をミラー228で調整して面外ゴースト削減を行っている。
【００２０】
このように導光装置224を導光部材の断面底辺がプロジェクタ100の底面パネル160と非平行となるように配置することで、表示素子230の枠に照射される光線束の量を軽減することができ、よって面外ゴーストの削減が可能となり、良質な画像を投影可能なプロジェクタ100を提供することができる。
【実施例】
【００２１】
以下、本発明の実施例を図に基づいて詳説する。本発明に係るプロジェクタは、プロジェクタ制御手段としてのマイクロコンピュータを内蔵し、図１に示すように、略直方体とされるケースの前面パネル120にはレンズカバー121を備えた投影口123を有し、ケースの上面パネル110には電源スイッチ111としてのキーや手動画質調整キー113、自動画質調整キー114、電源ランプインジケータ112、光源ランプインジケータ115、過熱インジケータ116などのキー及びインジケータ類、スピーカを内側に配置した拡声穴118や開閉蓋119を有し、図示しない背面パネルには電源コネクタやパーソナルコンピュータと接続するＵＳＢ端子、画像信号入力用のビデオ端子やミニＤ−サブ端子などの各種信号入力端子を有するプロジェクタ100である。
【００２２】
そして、上面パネルの開閉蓋119の内部には、画質や画像の微調整及びプロジェクタ100の各種動作設定を行うサブキーを有し、ケースの左側面パネル150には吸気口155が、図示しない右側面パネルには排気口が設けられ、内部に冷却ファンを有するものである。更に、左側面パネル150には、投影画像の大きさを変えるズームリング257や投影画像のピントを調節するフォーカスリング258等を有している。
【００２３】
又、底面パネルの前方には突出量を調整可能とした前足部材170を有し、底面パネルの後方左右には固定式の後足部材175を有し、前足部材170の突出量を調整してプロジェクタ100の前方高さを変化させ、スクリーンの高さにあわせた画像の投影を可能としているものである。
【００２４】
そして、このプロジェクタ100の内部には、図２に示すように、超高圧水銀ランプなどの放電ランプ211を内蔵する光源装置210、及び、光源側光学系220としてカラーホイール221や導光装置224、照明側光学系として複数枚の光源側レンズ群226と１枚のミラー228を有するものである。
【００２５】
更に、ランプ電源回路187やプロジェクタ制御手段181を取り付けた回路基板180、光源装置210からの射出光を表示素子230に照射する光源側光学系220、及び、複数の画素を行方向及び列方向にマトリクス状に配列して入射した光の反射を制御することにより画像を表示する表示素子230、更に、表示素子230からの射出光をスクリーン等の投影面に投影する投影側光学系250である固定レンズ群253や可動レンズ群255を組み込んだプロジェクタ100である。
【００２６】
この回路基板180には、マイクロコンピュータによるプロジェクタ制御手段181が設けられ、この制御手段181により、プロジェクタ内の各回路の動作制御を行い、電源スイッチ111がオン状態とされると光源装置210の放電ランプ211を点灯させると共に、冷却ファン190を放電ランプ211の出力や冷却ファン190のファン形状及び配置などに合わせた定格速度で駆動させ、左側面パネル150の吸気口155から外気を取り入れ、右側面パネル140の排気口145から内部の空気を排出しつつプロジェクタ100をスタンバイ状態とするものである。
【００２７】
そして、放電ランプ211の温度が所定温度に上昇して発光が安定すると、画像信号の入力による画像の投影を可能とするものである。
又、電源スイッチ111がオフ状態とされると放電ランプ211を消灯すると共に、タイマーにより数分間程度の所定時間だけ冷却ファン190の駆動を持続させてプロジェクタ100の内部を冷却した後に全ての動作を停止させる等の制御も行なうものである。
【００２８】
そして、表示素子230は、カラーフィルターのような入射光を着色する手段を備えない表示素子230であり、この実施例では、一般にＤＭＤ（Digital Micromirror Device）と略称されるマイクロミラー表示素子を用いている。この表示素子230は、マイクロミラーが整列配置された画像生成部の周縁を枠により保護されており、右枠と下枠に表示素子230を制御する電気回路や電気系統が保持されている。このため右枠と下枠の面積は他の枠に比べて大きく形成されている。
【００２９】
この表示素子230は、その正面方向に対して一方向に傾いた入射方向から入射した光を、複数のマイクロミラーの傾き方向の切換えにより正面方向のオン状態光線と斜め方向のオフ状態光線とに分けて反射することにより画像を表示するものであり、一方の傾き方向に傾動されたマイクロミラーに入射した光をこのマイクロミラーにより正面方向に反射するオン状態光線とし、他方の傾き方向に傾動されたマイクロミラーに入射した光をこのマイクロミラーにより斜め方向に反射してオフ状態光線とすると共に、このオフ状態光線を吸光板で吸収し、正面方向への反射による明表示と、斜め方向への反射による暗表示とにより画像を表示するものである。
【００３０】
そして、光源装置210は、内部に放電ランプ211を備え、内面が反射面とされる楕円球面形状のリフレクタと、このリフレクタの前方にリフレクタ前方の開口を塞ぐように防爆面が設置されるものであり、放電ランプ211はランプ電源回路187から電源を供給可能に導線により接続され、放電ランプ211が発光してリフレクタの反射面により反射して、光源装置210の前方に光を照射するものである。
【００３１】
又、光源装置210からの射出光を表示素子230に入射させる光源側光学系220は、カラーホイール221や導光装置224、複数枚のレンズである光源側レンズ群226、及び、ミラー228で構成している。このカラーホイール221は薄肉円盤状であり、光源装置210からの射出光を順次着色するためのカラーフィルターを平面上に有している。
【００３２】
そして、本実施例のプロジェクタ100の光学系は、図３に示すように、光学系ユニット200内に収納されている。この光学系ユニット200は、導光ユニット201と、光源側レンズ群ユニット202と、投影側光学系ユニット203から構成されている。尚、カラーホイール221は、導光ユニット201の入射側の外部に、光軸上にカラーホイール221のカラーフィルターが位置するように固定されている。
【００３３】
この導光ユニット201は、導光装置224を収納するものであり、図４に示すように、導光部材であるライトトンネル241と、遮光板242と、ライトトンネル241を固定する固定具246を有している。このライトトンネル241は、外形が直方体形状であり、内部には直方体形状の空洞を有し、内面を反射面とした筒体であり、空洞の断面は長方形形状となっている。そして、開口部の一端を入射口とし、他端を射出口としている。
【００３４】
又、遮光板242は円盤形状でライトトンネル241の端部形状に近似した大きさ及び形状の開口部245を有しており、ライトトンネル241の入射口及び射出口の近傍に当該開口部245が位置するように配置されている。この遮光板242は、光源装置210から射出された光線束の内で不要光となるものをライトトンネル241の入射口近傍に配置された遮光板242で遮光し、ライトトンネル241の射出口で拡散した光線束をライトトンネル241の射出口近傍に配置された遮光板242で遮光することにより、不要光が表示素子230に照射するのを防いでいる。又、この遮光板242は金属により形成されており、耐熱性を有する黒い塗装がなされている。このように金属で形成することで耐熱性を有し、又、黒色等で反射防止塗装を施すことにより光が反射するのを防いでいる。
【００３５】
又、光源側レンズ群ユニット202は、光源側レンズ群226及びミラー228を収納している。この光源側レンズ群226は、導光装置224から射出された光を透過してミラー228に照射し、ミラー228は、光源側レンズ群226を透過した光を、表示素子230に向けて反射することにより、表示素子230にその正面方向に対して一方の方向に傾いた方向から光を投射するものであり、表示素子230に光源側レンズ群226を透過した光線束が照射されるように位置や角度を調整して設置されている。
【００３６】
そして、投影側光学系ユニット203は、投影側光学系250を収納しており、投影側光学系250は、固定レンズ群253を内蔵する固定鏡筒と、この固定鏡筒に係合され、回転操作により軸方向に進退移動可能とされる可動レンズ群255を内蔵する可動鏡筒とを備え、これらの鏡筒内に組み込まれた複数枚のレンズの組み合わせによりズームレンズを形成している。又、投影側光学系250はマイクロミラー表示素子230から射出された光を投影すると同時に、不要な光である迷光を除去する機能を有している。
【００３７】
このように、このプロジェクタ100は、光源装置210から光を一方向に射出させ、光源側光学系220のカラーホイール221を高速で回転駆動させることにより、光源装置210から光源側光学系220に入射した光を、カラーホイール221により順次着色し、さらに導光装置224のライトトンネル240により強度分布を均一にして、光源側光学系220としての光源側レンズ群226及びミラー228により表示素子230に向けて投射するものである。
【００３８】
そして、電源投入時から所定時間が経過して光源装置210からの光が安定すると、カラーホイールを透過することで着色された各色の光の投射周期に同期させて表示素子230に各色の単色画像データを順次書込むことにより、表示素子230の正面方向に反射するオン状態光線により表示素子230に各色の単色画像を順次形成させ、表示素子230から順次射出する各色の単色画像光を、投影側光学系250のレンズ群253、255により拡大して投影面に投影するものであり、投影面に、各色の３色の単色画像が重なったフルカラー画像を表示するものである。
【００３９】
このようなプロジェクタ100では、図５に示すように、暗状態時に投影画像の枠外に面外ゴーストA,Bと呼ばれる薄明るい陰が発生していた。この面外ゴーストが発生する理由について図６を用いて説明する。
【００４０】
まず、図６（ａ）に示すように、光源装置210から射出された光は導光装置224の入射口に位置する遮光板242の開口部245より入射して導光装置224の射出口より射出する。この時の光線束の形状は略長方形形状である。
【００４１】
次に、図６（ｂ）に示すように、導光装置224から射出された光線束は光源側レンズ群226で上下左右を反転され、更にミラー228により左右を反転させられて表示素子230に照射される。つまり、図６（ａ）における導光装置224から射出した光線束が、図６（ｂ）では上下が反転した光線束となる。又、ミラー228から表示素子230に斜めに光線束が照射されるため断面が歪んだ方形形状の光線束となる。
【００４２】
そして、図６の（ｂ）及び図７に示すように、表示素子230に光を照射すると、画像生成部233のみでなく面積が大きく形成された右枠232及び下枠231に歪んだ方形状の光の一部が照射されることになる。
【００４３】
又、図６（ｃ）に示すように、表示素子230から反射した光は上下左右を反転して投影画像として投影される。つまり、図６（ｂ）における光線束の枠である辺abと辺dcが反転した形状となる。ここで、図６（ｂ）と図６（ｃ）において左右の辺が反転していないのは、現実の映像は反転しているも、図６（ｂ）は表示素子230の前方からプロジェクタ100の後方を向く方向としてみた図であり、図６（ｃ）はプロジェクタの側から正面スクリーン方向を見ているために視点の方向が前後逆向きであって、左右が反転しているためである。
【００４４】
このため、図７における表示素子230の下枠231と右枠232の枠外により反射された映像を形成しない光がその後の投影側光学系250において完全に除去できず、そのまま一部が投影側光学系250を通過して投影画像として表示されてしまうため、上述した図５に示すように、暗状態時の投影画像の投影枠外に面外ゴーストといわれる薄明るい陰が発生してしまうものである。
【００４５】
そこで、本実施例では、導光装置224から射出される断面が略方形状の光線束の一辺と、この一辺が照射される場所に位置する表示素子230の一枠とが略平行となるように、導光装置224を任意の角度回転させた状態で斜めに配置し、導光装置224から射出された光線束の一辺と、この一辺と対応する表示素子230の画像生成部とを近接させるように、導光装置224から射出された光線束が表示素子230に照射する位置をミラー228で調整して面外ゴースト削減を行っている。つまり、導光部材の断面底辺がプロジェクタの底面パネルと非平行となるように配置されているものである。
【００４６】
例えば、上述した図５における面外ゴーストAを削減するためには、図８、図９に示すように、導光装置224のライトトンネル241を光軸243を中心に右回転させて固定具246で固定し、図１０に示すように、表示素子230に照射される光線束の右辺bcと表示素子230の右枠232とが略平行になるようにする。そして、図１１に示すように、導光装置224から射出された光線束の右枠が表示素子230の画像生成部233に近接するようにミラー228で調整する。
【００４７】
このように導光装置224を光軸243を中心に任意の角度回転させて固定し且つミラーで調整することで、投影画像は図１２に示すように、面外ゴーストAを削減することができ、良質の投影画像を提供することができる。
又、ミラーで表示素子に照射する光を調整することは、プロジェクタの製造時には必ず行われることであり、従来通りプロジェクタを製造する過程で面外ゴーストの削減も可能となるものである。
【００４８】
又、図５における面外ゴーストBを削減するには、導光装置224のライトトンネル241を光軸243を中心に任意の角度左回転させて固定し、表示素子230に照射される光線束の下辺abと表示素子230の下枠231とが略平行になるようにする。そして、導光装置224からの射出光が表示素子230の画像生成部233の下枠231近傍に位置するようにミラー228を調整することで面外ゴーストの削減が可能となる。
【００４９】
本実施例によれば、導光部材の断面底辺がプロジェクタの底面パネルと非平行になるように導光装置224を光軸を中心に回転させて配置し、ミラーで表示素子に対する照射位置を調整することにより、面外ゴーストを削減することができ、よって良質な投影画像を提供することができる。
【００５０】
尚、これまで導光装置224を回転させていたが、導光ユニット201ごと回転させて導光装置224を回転させることも可能であり、又、導光装置224の回転は光軸を中心とした回転に限るものでなく、光軸と平行な光軸以外の軸を中心に回転させることもあり、回転により導光装置224の断面底辺を傾けた状態として導光装置或いは導光ユニットを配置し、導光装置より射出された光線束の表示素子に対する照射位置をミラーで調整することでも同様の効果を得ることができる。
【００５１】
又、導光部材としてライトトンネルを用いていたが、導光ロッドを用いることも当然可能である。
更に、本発明は以上の実施例に限定されるものでなく、発明の要旨を逸脱しない範囲で自由に変更、改良が可能である。
【図面の簡単な説明】
【００５２】
【図１】本発明に係るプロジェクタの外観を示す斜視図。
【図２】本発明に係るプロジェクタの内部を示す平面図。
【図３】本発明に係るプロジェクタにおける光学系ユニットの概要図。
【図４】本発明に係るプロジェクタにおける導光ユニットの概略図。
【図５】投影画像における面外ゴーストを説明する概要図。
【図６】本発明に係るプロジェクタにおける光線束による光の照射状態を説明する概略図。
【図７】表示素子と表示素子に照射される光線束の状態を示す図。
【図８】本発明に係るプロジェクタにおける導光ユニットの説明図。
【図９】本発明に係るプロジェクタにおける導光部材の概略図。
【図１０】本発明に係るプロジェクタにおけるマイクロミラー表示素子と光線束の関係の説明図。
【図１１】本発明に係るプロジェクタにおける反射ミラーによる光線束の調整の説明図。
【図１２】本発明に係るプロジェクタにおける投影画像の正面図。
【符号の説明】
【００５３】
100  プロジェクタ                  110  上面パネル
111  電源スイッチ                  112  電源ランプインジケータ
113  手動画質調整キー              114  自動画質調整キー
115  光源ランプインジケータ        116  加熱インジケータ
118  拡声穴                        119  開閉蓋
120  前面パネル                    121  レンズカバー
123  投影口                        130  後面パネル
140  右側面パネル                  145  排気口
150  左側面パネル                  155  吸気口
160  底面パネル                    170  前足部材
175  後足部材                      180  回路基板
181  プロジェクタ制御手段          187  ランプ電源回路
190  冷却ファン                    200  光学系ユニット
201  導光ユニット                  202  光源側レンズ群ユニット
203  投影側光学系ユニット          210  光源装置
211  放電ランプ                    220  光源側光学系
221  カラーホイール
224  導光装置                      226  光源側レンズ群
228  ミラー                        230  マイクロミラー表示素子
231  下枠                          232  右枠
233  画像生成部
241  ライトトンネル                242  遮光板
243  光軸
245  開口部                        246  固定部材
250  投影側光学系                  253  固定レンズ群
255  可動レンズ群                  257  ズームリング
258  フォーカスリング
【図１】
2007256321.tif 000003
【図２】
2007256321.tif 000004
【図３】
2007256321.tif 000005
【図４】
2007256321.tif 000006
【図５】
2007256321.tif 000007
【図６】
2007256321.tif 000008
【図７】
2007256321.tif 000009
【図８】
2007256321.tif 000010
【図９】
2007256321.tif 000011
【図１０】
2007256321.tif 000012
【図１１】
2007256321.tif 000013
【図１２】
2007256321.tif 000014